(57)【要約】【課題】予約した車両がスムーズに駐車スペースに入庫できるようにする。【解決手段】本発明の駐車場予約入場管理システムは、駐車場内装置と駐車場予約入場管理装置とを備える。駐車場予約入場管理装置は、記録部、予約受付部、制御開始判断部、指示部を備える。記録部は、あらかじめ定められた制御開始条件の確認に必要な情報を記録する。予約受付部は、少なくとも予約対象の車両の車両番号と予約日時の情報を取得し、予約番号を出力し、車両番号と予約日時と予約番号とを関連つけて記録部に記録する。制御開始判断部は、車両に搭載されたユーザ移動端末から位置情報と予約番号を取得する車両位置取得手段と、位置情報が示す位置が、あらかじめ定められた制御開始条件を満たすようになった場合に入場制御開始の判断をする開始条件確認手段とを有する。【選択図】図２
2015014970.tif 000002
【特許請求の範囲】
【請求項１】
入場ゲートの前に進入路がある駐車場において、予約をした車両の入場を管理する駐車場予約入場管理システムであって、
前記駐車場に配置され、少なくとも表示手段と前記車両が到着したことを示す到着情報を送信する到着情報送信手段とを有する駐車場内装置と、
前記駐車場内装置とネットワークを介して接続された駐車場予約入場管理装置と、
を備え、
前記駐車場予約入場管理装置は、
あらかじめ定められた制御開始条件の確認に必要な情報を記録する記録部と、
少なくとも予約対象の車両の車両番号と予約日時の情報を取得し、予約番号を出力し、前記車両番号と前記予約日時と前記予約番号とを関連つけて前記記録部に記録する予約受付部と、
前記車両に搭載されたユーザ移動端末から位置情報と前記予約番号を取得する車両位置取得手段と、前記位置情報が示す位置が、前記あらかじめ定められた制御開始条件を満たすようになった場合に入場制御開始の判断をする開始条件確認手段とを有する制御開始判断部と、
前記制御開始判断部が入場制御開始の判断をした場合は前記進入路への車両の進入の制限を開始することを前記駐車場内装置に指示し、前記表示手段に指示内容を表示させる開始指示手段と、前記到着情報を前記駐車場内装置から取得すると前記車両に対する制御を終了する制御終了手段とを有する指示部と、
を備える
ことを特徴とする駐車場予約入場管理システム。
【請求項２】
請求項１記載の駐車場予約入場管理システムであって、
前記あらかじめ定められた制御開始条件の確認に必要な情報とは、あらかじめ定められた日時のグループごとの入場制御を開始する前記車両の位置であり、
前記開始条件確認手段は、前記位置情報が示す位置が前記日時のグループごとの入場制御を開始する前記車両の位置に該当する状態になった場合に入場制御開始の判断をする
ことを特徴とする駐車場予約入場管理システム。
【請求項３】
請求項１記載の駐車場予約入場管理システムであって、
前記あらかじめ定められた制御開始条件の確認に必要な情報とは、あらかじめ定められた日時のグループごとの入場制御が必要な時間である必要時間であり、
前記制御開始判断部は、前記位置情報から前記車両の到着時間を推定する到着時間推定手段も有し、
前記開始条件確認手段は、推定された前記車両の到着時間が、前記必要時間以内になったときに入場制御開始の判断をする
ことを特徴とする駐車場予約入場管理システム。
【請求項４】
請求項１記載の駐車場予約入場管理システムであって、
前記あらかじめ定められた制御開始条件の確認に必要な情報とは、前記進入路に停車できる車両の台数である進入路台数と、あらかじめ定められた日時のグループごとの前記駐車場で単位時間に出庫すると予測される車両の台数を示す出庫情報であり、
前記制御開始判断部は、前記位置情報から前記車両の到着時間を推定する到着時間推定手段も有し、
前記開始条件確認手段は、前記進入路台数と前記出庫情報とから、前記進入路への進入の制限を開始してから前記進入路台数の車両が前記駐車場に入場できるまでの必要時間を求め、推定された前記車両の到着時間が、前記必要時間以内になったときに入場制御開始の判断をする
ことを特徴とする駐車場予約入場管理システム。
【請求項５】
請求項１記載の駐車場予約入場管理システムであって、
前記駐車場内装置は、前記駐車場から車両が出庫したことを示す実出庫情報を送信する出庫ゲートも有しており、
前記あらかじめ定められた制御開始条件の確認に必要な情報とは、前記進入路に停車できる車両の台数である進入路台数であり、
前記制御開始判断部は、前記位置情報から前記車両の到着時間を推定する到着時間推定手段と、前記実出庫情報を取得する実出庫情報取得手段も有し、
前記開始条件確認手段は、前記出庫ゲートからの実出庫情報に基づいて単位時間に出庫すると予測される車両の台数である出庫情報を求め、前記進入路台数と前記出庫情報とから、前記進入路への進入の制限を開始してから前記進入路台数の車両が前記駐車場に入場できるまでの必要時間を求め、推定された前記車両の到着時間が、前記必要時間以内になったときに入場制御開始の判断をする
ことを特徴とする駐車場予約入場管理システム。
【請求項６】
入場ゲートの前に進入路がある駐車場において、予約をした車両の入場を、少なくとも表示手段と前記車両が到着したことを示す到着情報を送信する到着情報送信手段とを有する前記駐車場に配置される駐車場内装置を用いて管理する駐車場予約入場管理装置であって、
あらかじめ定められた制御開始条件の確認に必要な情報を記録する記録部と、
少なくとも予約対象の車両の車両番号と予約日時の情報を取得し、予約番号を出力し、前記車両番号と前記予約日時と前記予約番号とを関連つけて前記記録部に記録する予約受付部と、
前記車両に搭載されたユーザ移動端末から位置情報と前記予約番号を取得する車両位置取得手段と、前記位置情報が示す位置が、前記あらかじめ定められた制御開始条件を満たすようになった場合に入場制御開始の判断をする開始条件確認手段とを有する制御開始判断部と、
前記制御開始判断部が入場制御開始の判断をした場合は前記進入路への車両の進入の制限を開始することを前記駐車場内装置に指示し、前記表示手段に指示内容を表示させる開始指示手段と、前記到着情報を前記駐車場内装置から取得すると前記車両に対する制御を終了する制御終了手段とを有する指示部と、
を備える駐車場予約入場管理装置。
【請求項７】
入場ゲートの前に進入路がある駐車場で、予約をした車両の入場を管理するために、
前記駐車場に配置され、少なくとも表示手段と前記車両が到着したことを示す到着情報を送信する到着情報送信手段とを有する駐車場内装置と、
前記駐車場内装置とネットワークを介して接続された駐車場予約入場管理装置と、
を用いる駐車場予約入場管理方法であって、
前記駐車場予約入場管理装置の記録部が、あらかじめ定められた制御開始条件の確認に必要な情報を記録しておき、
前記駐車場予約入場管理装置が、少なくとも予約対象の車両の車両番号と予約日時の情報を取得し、予約番号を出力し、前記車両番号と前記予約日時と前記予約番号とを関連つけて前記記録部に記録する予約受付ステップと、
前記駐車場予約入場管理装置が、前記車両に搭載されたユーザ移動端末から位置情報と前記予約番号を取得する車両位置取得サブステップと、前記位置情報が示す位置が、前記あらかじめ定められた制御開始条件を満たすようになった場合に入場制御開始の判断をする開始条件確認サブステップとを有する制御開始判断ステップと、
前記駐車場予約入場管理装置が、前記制御開始判断ステップが入場制御開始の判断をした場合は前記進入路への車両の進入の制限を開始することを前記駐車場内装置に指示し、前記表示手段に指示内容を表示させる開始指示サブステップと、前記到着情報を前記駐車場内装置から取得すると前記車両に対する制御を終了する制御終了サブステップとを有する指示ステップと、
を有する
ことを特徴とする駐車場予約入場管理方法。
【発明の詳細な説明】
【技術分野】
【０００１】
本発明は、駐車場の予約を受け付け、入場管理を行う駐車場予約入場管理システム、駐車場予約入場管理装置、駐車場予約入場管理方法に関する。
【背景技術】
【０００２】
駐車場の予約に関する従来技術として、特許文献１，２が知られている。これらの技術は、駐車場の空きスペースの有無に基づいて予約できるかを確認し、予約を受け付ける技術である。
【先行技術文献】
【特許文献】
【０００３】
【特許文献１】特開２００３−１２３１９５号公報
【特許文献２】特開２００９−１８７３４６号公報
【発明の概要】
【発明が解決しようとする課題】
【０００４】
しかしながら、従来技術は、予約をするまでの技術であり、実際に予約した車両が駐車場に予約時間にスムーズに入場できることを確保する技術ではない。したがって、予約時間に予約した車両用のスペースは確保していても、他のスペースが満車状態で車両が進入路に並んでいる状態では、予約した車両も駐車場に入場できないという課題がある。
【０００５】
そこで、本発明の駐車場予約入場管理システムは、入場ゲートの前に進入路がある駐車場において、予約した車両がスムーズに駐車スペースに入庫できるようにすることを目的とする。
【課題を解決するための手段】
【０００６】
本発明の駐車場予約入場管理システムは、入場ゲートの前に進入路がある駐車場において、予約をした車両の入場を管理する。駐車場予約入場管理システムは、駐車場内装置と駐車場予約入場管理装置とを備える。駐車場内装置は、駐車場に配置され、少なくとも表示手段と予約した車両が到着したことを示す情報を送信する到着情報送信手段とを有する。駐車場予約入場管理装置は、駐車場内装置とネットワークを介して接続されている。駐車場予約入場管理装置は、記録部、予約受付部、制御開始判断部、指示部を備える。記録部は、あらかじめ定められた制御開始条件の確認に必要な情報を記録する。予約受付部は、少なくとも予約対象の車両の車両番号と予約日時の情報を取得し、予約番号を出力し、車両番号と予約日時と予約番号とを関連つけて記録部に記録する。制御開始判断部は、車両に搭載されたユーザ移動端末から位置情報と予約番号を取得する車両位置取得手段と、位置情報が示す位置が、あらかじめ定められた制御開始条件を満たすようになった場合に入場制御開始の判断をする開始条件確認手段とを有する。指示部は、制御開始判断部が入場制御開始の判断をした場合は進入路への車両の進入の制限を開始することを駐車場内装置に指示し、表示手段に指示内容を表示させる開始指示手段と、車両が駐車場に到着したことを示す到着情報を駐車場内装置から取得すると、その車両に対する制御を終了する制御終了手段とを有する。
【発明の効果】
【０００７】
本発明の駐車場予約入場管理システムによれば、予約した車両が到着する前から進入路への車両の進入を制限し、進入路に停車した車を少なくできるので、予約した車両はスムーズに駐車場に入場できる。
【図面の簡単な説明】
【０００８】
【図１】駐車場の構成例を示す図。
【図２】駐車場予約入場管理システムの構成例を示す図。
【図３】駐車場予約入場管理システムの処理フローを示す図。
【発明を実施するための形態】
【０００９】
以下、本発明の実施の形態について、詳細に説明する。なお、同じ機能を有する構成部には同じ番号を付し、重複説明を省略する。
【実施例１】
【００１０】
＜前提＞
まず、本発明の駐車場予約入場管理システムを適用する駐車場について説明する。図１に駐車場の構成例を示す。駐車場８００は、駐車スペース８１０、一般道８９０から駐車スペース８１０まで車両を誘導する進入路８２０、進入路８２０から駐車スペース８１０に入庫する位置に設けられた入庫ゲート８３０、駐車スペース８１０から出庫する位置に設けられた出庫ゲート８４０で構成される。図１中の一点鎖線で示した矢印は、車両の進行方向を示している。そして、通常は図１の係員端末２１０の位置（一般道８９０から進入路８２０に進入する位置）に係員が立ち、車両に対する案内を行っている。また、本発明の駐車場予約入場管理システムを適用する駐車場は、進入路８２０への進入を制御するための制御ゲート２５０が備えられた駐車場でもよい。図１のように進入路８２０がある駐車場の場合、予約した車両が到着しても、進入路８２０に停車した車両のために、予約した車両がスムーズに駐車スペース８１０に入庫できない。そこで、本発明の駐車場予約入場管理システムは、予約した車両がスムーズに駐車スペースに入庫できるようにすることを目的としている。
【００１１】
＜上位概念の構成＞
図２に駐車場予約入場管理システムの構成例を、図３に駐車場予約入場管理システムの処理フローを示す。駐車場予約入場管理システム１０は、駐車場内装置２００と駐車場予約入場管理装置１００とを備える。また、駐車場予約入場管理システム１０の外部の装置であるユーザ端末４１０、ユーザ移動端末４２０、渋滞情報提供装置９００などと情報通信ができる。ユーザ端末４１０とは、パソコンなどの端末であり、ユーザが駐車場の予約をする際に使用する端末である。ユーザ移動端末４２０とは、スマートホンやカーナビゲーションシステムなどの車両に搭載できる端末であり、予約対象の車両に搭載し、ＧＰＳ機能などで取得した位置情報を駐車場予約入場管理装置１００に送ることができる端末である。また、ユーザは、ユーザ移動端末４２０で駐車場の予約を行ってもよい。渋滞情報提供装置９００は、駐車場予約入場管理装置１００に駐車場周辺の渋滞情報を提供する装置である。
【００１２】
駐車場内装置２００は、駐車場８００に配置され、少なくとも表示手段２２０と予約した車両が到着したことを示す情報を送信する到着情報送信手段２３０，２６０とを有する。駐車場内装置２００は、係員端末２１０だけでもよいし、係員端末２１０と制御ゲート２５０との組み合わせでもよいし、さらに出庫ゲート８４０も含んでもよい。ただし、一般道８９０から進入路８２０への進入を制限する必要があるときに、進入を制限することを係員に知らせるために少なくとも係員端末２１０は表示手段２２０を備えている。また、予約した車両が到着したことを駐車場予約入場管理装置１００に伝えるために、到着情報送信手段２３０，２６０を係員端末２１０または制御ゲート２５０が備えている。なお、制御ゲート２５０がある場合は、制御ゲート２５０の開閉手段２８０が車両の進入路８２０への進入を制限すればよく、制御ゲート２５０がない場合は係員が係員端末２１０に表示された指示に従って車両の進入路８２０への進入を制限すればよい。つまり、上述のように駐車場内装置２００は、少なくとも表示手段２２０と、到着情報送信手段２３０もしくは到着情報送信手段２６０を有すれば、本発明を実施できる。
【００１３】
駐車場予約入場管理装置１００は、駐車場内装置２００とネットワーク５００を介して接続されている。駐車場予約入場管理装置１００は、記録部１９０、予約受付部１１０、制御開始判断部１２０、指示部１７０を備える。記録部１９０は、あらかじめ定められた制御開始条件の確認に必要な情報を記録する。あらかじめ定められた制御開始条件の確認に必要な情報とは、「あらかじめ定められた日時のグループごとの入場制御を開始する車両の位置」、「あらかじめ定められた日時のグループごとの入場制御が必要な時間である必要時間」、「進入路に停車できる車両の台数である進入路台数と、あらかじめ定められた日時のグループごとの駐車場で単位時間に出庫すると予測される車両の台数を示す出庫情報」、「進入路に停車できる車両の台数である進入路台数」などである。これらの情報をあらかじめ記録した具体例は後述する。なお、「あらかじめ定められた日時のグループごと」とは、平日の９時から１５時を１つのグループ、平日の１５時から１９時を１つのグループとするように、曜日や時間や季節などによってあらかじめグループ分けし、そのグループごとという意味である。
【００１４】
予約受付部１１０は、少なくとも予約対象の車両の車両番号と予約日時の情報を取得し、予約番号を出力し、車両番号と予約日時と予約番号とを関連つけて記録部に記録する（Ｓ１１０）。なお、これらの情報の他に、普通車かハイルーフかなどの車種の情報、予約者の氏名や会員番号、メールアドレス、クレジットカード番号などの情報も取得してもよい。予約番号は、予約受付部１１０が、予約を申し込んでいるユーザ端末４１０またはユーザ移動端末４２０に送信する。また、メールアドレスを登録した場合は、そのメールアドレスに送信してもよい。そして、ユーザは、予約した車両に載せるユーザ移動端末４２０に予約番号が記録された状態にしておく。
【００１５】
制御開始判断部１２０は、少なくとも車両位置取得手段１３１と開始条件確認手段１４０とを有する。車両位置取得手段１３１は、車両に搭載されたユーザ移動端末４２０から位置情報と予約番号を取得する（Ｓ１３１）。ステップＳ１３１は、例えば、ユーザ移動端末４２０にあらかじめアプリケーションをインストールしておき、予約時間の１時間前からユーザ移動端末４２０が所定の間隔を開けて駐車場予約入場管理装置１００に位置情報と予約番号を送信することで実現できる。開始条件確認手段１４０は、位置情報が示す位置が、あらかじめ定められた制御開始条件を満たすようになった場合に入場制御開始の判断をする（Ｓ１４０）。ステップＳ１４０がＮｏの場合（制御開始条件を満たさない場合）は、位置情報と予約番号の取得（Ｓ１３１）を所定の間隔を開けて（例えば５分）再度実行する。
【００１６】
指示部１７０は、開始指示手段１７１と制御終了手段１７２を有する。開始指示手段１７１は、制御開始判断部１２０が入場制御開始の判断をすると（ステップＳ１４０がＹｅｓの場合は）、進入路への車両の進入の制限を開始することを駐車場内装置２００に指示し、表示手段２２０に指示内容を表示させる（Ｓ１７１）。制御ゲート２５０がある場合は、例えば制御ゲート２５０に、到着情報送信手段２６０、車両番号取得手段２７０、開閉手段２８０を具備させる。そして、車両番号取得手段２７０で車両の車両番号を取得（Ｓ２３０）、確認（Ｓ２４０）し、予約した車両であることが確認できた場合は、開閉手段２８０で制御ゲート２５０を開き、到着情報送信手段２６０が到着情報を駐車場予約入場管理装置１００に送ればよい。また、制御ゲート２５０がない場合は、駐車場８００の係員が車両番号を確認（Ｓ２３０，Ｓ２４０）し、その車両を進入路８２０に進入させた後で、係員端末２１０の到着情報送信手段２３０で到着情報を駐車場予約入場管理装置１００に送ればよい。制御終了手段１７２は、車両が駐車場に到着したことを示す到着情報を駐車場内装置から取得すると、その車両に対する制御を終了する（Ｓ１７２）。なお、図３に示した処理フローは、予約ごとに並列に行う。つまり、複数の予約が登録されている場合は、同時に複数の処理フローを実行し、到着情報を取得した車両に対する制御（処理）のみを終了する。
【００１７】
本発明の駐車場予約入場管理システムによれば、予約した車両が到着する前から進入路への車両の進入を制限し、進入路に停車した車を少なくできるので、予約した車両はスムーズに駐車場に入場できる。
【００１８】
以下では、入場制御開始の判断方法についてより具体的に説明する。
【００１９】
＜具体例１＞
この具体例では、記録部１９０に記録しておくあらかじめ定められた制御開始条件の確認に必要な情報を、「あらかじめ定められた日時のグループごとの入場制御を開始する車両の位置」とする。駐車場８００に車両が到着する経路は何種類か考えられる。そこで、あらかじめ定められた日時のグループごと、かつ経路ごとに、入場制御を開始する車両の位置を記録しておけばよい。そして、開始条件確認手段１４０は、位置情報が示す位置が日時のグループごとの入場制御を開始する車両の位置のいずれかに該当する状態になった場合に入場制御開始の判断をする。
【００２０】
＜具体例２＞
この具体例では、記録部１９０に記録しておくあらかじめ定められた制御開始条件の確認に必要な情報を、「あらかじめ定められた日時のグループごとの入場制御が必要な時間である必要時間」とする。この場合は、制御開始判断部１２０は、位置情報から車両の到着時間を推定する到着時間推定手段１３２も有する。到着時間推定手段１３２は、駐車場周辺の渋滞の情報を用いて、到着時間を推定すればよい。到着時間の推定方法は、一般的なカーナビゲーションと同様の推定方法でよい。また、渋滞の情報は駐車場の周辺の情報だけでよいので、外部の渋滞情報提供装置９００から取得する方法に限る必要はなく、経験を数値化して到着時間推定手段が記録しておいてもよい。そして、開始条件確認手段１４０は、推定された車両の到着時間が、必要時間以内になったときに入場制御開始の判断をする。
【００２１】
＜具体例３＞
この具体例では、記録部１９０に記録しておくあらかじめ定められた制御開始条件の確認に必要な情報を、「進入路に停車できる車両の台数である進入路台数と、あらかじめ定められた日時のグループごとの駐車場で単位時間に出庫すると予測される車両の台数を示す出庫情報」とする。この場合は、制御開始判断部１２０は、位置情報から車両の到着時間を推定する到着時間推定手段１３２も有する。そして、開始条件確認手段１４０は、進入路台数と出庫情報とから、進入路への進入の制限を開始してから進入路台数の車両が駐車場に入場できるまでの必要時間を求め、推定された前記車両の到着時間が、必要時間以内になったときに入場制御開始の判断をする。
【００２２】
＜具体例４＞
この具体例では、記録部１９０に記録しておくあらかじめ定められた制御開始条件の確認に必要な情報を、「進入路に停車できる車両の台数である進入路台数」とする。また、駐車場内装置２００は、駐車場８００から車両が出庫するたびに、車両が出庫したことを示す実出庫情報を送信する出庫ゲート８４０も有している。さらに、制御開始判断部１２０は、位置情報から車両の到着時間を推定する到着時間推定手段１３２と、実出庫情報を取得する実出庫情報取得手段１３３も有す。そして、開始条件確認手段１４０は、実出庫情報（過去に実際に出庫したことを示す情報）に基づいて単位時間に出庫すると予測される車両の台数である出庫情報を求める。具体的には、例えば、過去１時間の出庫した台数と出庫した台数の変化に基づいて今後の１０分ごとに出庫すると予測される台数を求め、出庫情報とすればよい。開始条件確認手段１４０は、進入路台数と出庫情報とから、進入路への進入の制限を開始してから進入路台数の車両が駐車場に入場できるまでの必要時間を求め、推定された車両の到着時間が、必要時間以内になったときに入場制御開始の判断をする。
【００２３】
［プログラム、記録媒体］
上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００２４】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００２５】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００２６】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００２７】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００２８】
また、この形態では、コンピュータ上で所定のプログラムを実行させることにより、本装置を構成することとしたが、これらの処理内容の少なくとも一部をハードウェア的に実現することとしてもよい。
【符号の説明】
【００２９】
１０  駐車場予約入場管理システム      １００  駐車場予約入場管理装置
１１０  予約受付部                    １２０  制御開始判断部
１３１  車両位置取得手段              １３２  到着時間推定手段
１３３  実出庫情報取得手段            １４０  開始条件確認手段
１７０  指示部                        １７１  開始指示手段
１７２  制御終了手段                  １９０  記録部
２００  駐車場内装置                  ２１０  係員端末
２２０  表示手段                      ２３０，２６０  到着情報送信手段
２５０  制御ゲート                    ２７０  車両番号取得手段
２８０  開閉手段                      ４１０  ユーザ端末
４２０  ユーザ移動端末                ５００  ネットワーク
８００  駐車場                        ８１０  駐車スペース
８２０  進入路                        ８３０  入庫ゲート
８４０  出庫ゲート                    ８９０  一般道
９００  渋滞情報提供装置
【図１】
2015014970.tif 000003
【図２】
2015014970.tif 000004
【図３】
2015014970.tif 000005